【手続補正書】
【提出日】平成20年6月13日(2008.6.13)
【手続補正１】
【補正対象書類名】明細書
【補正対象項目名】特許請求の範囲
【補正方法】変更
【補正の内容】
【特許請求の範囲】
【請求項１】 Ｘ線源（１５）と、患者（１８）の一部分のＸ線画像の作成に適したデータを生成させるために横列と縦列の形に配列させたピクセル素子（４０）を備えたディジタル検出器（２２）と、を備えるＸ線イメージング・システム（１４）において検出器をモニタリングするための装置であって、較正動作フェーズの間に検出器を較正すること、異なる時点で生じる使用動作フェーズの間で検出器に電源供給すること、使用動作フェーズの間に照射動作モードでＸ線源を付勢させＸ線を検出器に伝達させること、及び使用動作フェーズの間に暗動作モードでＸ線源を抑止すること、を行うように配置させた制御器（３６、３４）と、前記ピクセル素子により生成されるデータを読み取ること、前記読み取ったデータを解析すること、較正動作フェーズの間、並びに複数の使用動作フェーズの所定部分の間で欠陥ピクセル素子を指示するデータに対応したピクセル素子を特定すること、前記暗動作モードの間にデータを読み取ること、及び、そのデータ値が所定のレベル範囲内にあるか否かを決定することにより前記読み取ったデータを解析することを行うように配置した処理装置（３９）と、を備えるモニタリング装置。
【請求項２】 メモリ（３７）をさらに備えると共に、前記処理装置が前記特定したピクセル素子を該メモリ内に保存するように配置されている、請求項１に記載の装置。
【請求項３】 前記処理装置が暗動作モードの間にデータを読み取っている、請求項１に記載の装置。
【請求項４】 前記処理装置が、使用動作フェーズの間で欠陥ピクセル素子を指示するデータに対応したピクセル素子を特定するように配置されている、請求項１に記載の装置。
【請求項５】 前記処理装置は、任意の較正動作フェーズ、現在の使用動作フェーズの間、並びに以前の使用動作フェーズの所定部分の間で欠陥ピクセル素子を指示するデータに対応したピクセル素子を特定している、請求項１に記載の装置。
【請求項６】 前記処理装置が前記特定したピクセル素子を用いて照射動作モードの間に取得したデータを補正し、Ｘ線画像の作成を支援している、請求項５に記載の装置。
【請求項７】 前記システムがメモリ（３７）を備えており、かつ前記処理装置が、最新の較正動作フェーズの間で欠陥ピクセル素子を指示するデータに対応したピクセル素子を特定している第１のマップを前記メモリ内に保存すること、現在の使用動作フェーズの間で欠陥ピクセル素子を指示するデータに対応したピクセル素子を特定している第２のマップを前記メモリ内に保存すること、現在の使用動作フェーズの前に生じた複数の使用動作フェーズの所定部分の間で欠陥ピクセル素子を指示するデータに対応したピクセル素子を特定している第３のマップを前記メモリ内に保存すること、を行うように配置されている、請求項１に記載の装置。
【請求項８】 前記処理装置が使用動作フェーズの間にデータを周期的に読み取っている、請求項１に記載の装置。
【請求項９】 Ｘ線源（１５）と、患者の一部分のＸ線画像の作成に適したデータを生成させるために横列と縦列の形に配列させたピクセル素子を備えたディジタル検出器（２２）と、を備えるＸ線イメージング・システム（１４）において検出器をモニタリングする方法であって、較正動作フェーズの間に検出器を較正するステップと、異なる時点で生じる使用動作フェーズの間で検出器に電源供給するステップと、使用動作フェーズの間に照射動作モードでＸ線源を付勢させＸ線を検出器に伝達させるステップと、使用動作フェーズの間に暗動作モードでＸ線源を抑止するステップと、前記ピクセル素子により生成されるデータを暗動作モードの間に読み取るステップと、前記暗動作モードの間に読み取ったデータのデータ値が所定のレベル範囲内にあるか否かを決定することにより前記読み取ったデータを解析するステップと、較正動作フェーズの間、並びに複数の使用動作フェーズの所定部分の間で欠陥ピクセル素子を指示するデータに対応したピクセル素子を特定するステップと、を含む方法。
【請求項１０】 前記特定したピクセル素子を保存するステップをさらに含む請求項９に記載の方法。
【請求項１１】 前記読み取りのステップが暗動作モードの間にデータを読み取るステップを含む、請求項９に記載の方法。
【請求項１２】 前記特定のステップが、使用動作フェーズの間で欠陥ピクセル素子を指示するデータに対応したピクセル素子を特定するステップを含む、請求項９に記載の方法。
【請求項１３】 前記特定のステップが、任意の較正動作フェーズ、現在の使用動作フェーズの間、並びに以前の使用動作フェーズの所定部分の間で欠陥ピクセル素子を指示するデータに対応したピクセル素子を特定するステップを含む、請求項９に記載の方法。
【請求項１４】 前記特定したピクセル素子を用いて照射動作モードの間に取得したデータを補正し、Ｘ線画像の作成を支援するステップをさらに含む請求項１３に記載の方法。
【請求項１５】最新の較正動作フェーズの間で欠陥ピクセル素子を指示するデータに対応したピクセル素子を特定している第１のマップを保存するステップと、現在の使用動作フェーズの間で欠陥ピクセル素子を指示するデータに対応したピクセル素子を特定している第２のマップを保存するステップと、現在の使用動作フェーズの前に生じた複数の使用動作フェーズの所定部分の間で欠陥ピクセル素子を指示するデータに対応したピクセル素子を特定している第３のマップを保存するステップと、をさらに含む請求項９に記載の方法。
【請求項１６】 前記読み取りのステップが、使用動作フェーズの間で概ね１０分ごとにデータを読み取るステップを含む、請求項９に記載の方法。
【請求項１７】 サービスセンタ（５０）に連絡するステップと、欠陥ピクセル素子を指示するデータを報告するステップと、をさらに含む請求項９に記載の方法。
【請求項１８】 Ｘ線源（１５）と、患者（１８）の一部分のＸ線画像の作成に適したデータを生成させるために横列と縦列の形に配列させたピクセル素子（４０）を備えたディジタル検出器（２２）と、を備えるＸ線イメージング・システム（１４）において検出器をモニタリングするための装置であって、メモリと、較正動作フェーズの間に検出器を較正すること、異なる時点で生じる使用動作フェーズの間で検出器に電源供給すること、使用動作フェーズの間に照射動作モードでＸ線源を付勢させＸ線を検出器に伝達させること、及び使用動作フェーズの間に暗動作モードでＸ線源を抑止すること、を行うように配置させた制御器（３６、３４）と、前記ピクセル素子により生成されるデータを読み取ること、前記読み取ったデータを解析すること、較正動作フェーズの間、並びに複数の使用動作フェーズの所定部分の間で欠陥ピクセル素子を指示するデータに対応したピクセル素子を特定すること、最新の較正動作フェーズの間で欠陥ピクセル素子を指示するデータに対応したピクセル素子を特定している第１のマップを前記メモリ内に保存すること、現在の使用動作フェーズの間で欠陥ピクセル素子を指示するデータに対応したピクセル素子を特定している第２のマップを前記メモリ内に保存すること、現在の使用動作フェーズの前に生じた複数の使用動作フェーズの所定部分の間で欠陥ピクセル素子を指示するデータに対応したピクセル素子を特定している第３のマップを前記メモリ内に保存することを行うように配置した処理装置（３９）と、を備えるモニタリング装置。
【請求項１９】 Ｘ線源（１５）と、患者の一部分のＸ線画像の作成に適したデータを生成させるために横列と縦列の形に配列させたピクセル素子を備えたディジタル検出器（２２）と、を備えるＸ線イメージング・システム（１４）において検出器をモニタリングする方法であって、較正動作フェーズの間に検出器を較正するステップと、異なる時点で生じる使用動作フェーズの間で検出器に電源供給するステップと、使用動作フェーズの間に照射動作モードでＸ線源を付勢させＸ線を検出器に伝達させるステップと、使用動作フェーズの間に暗動作モードでＸ線源を抑止するステップと、前記ピクセル素子により生成されるデータを読み取るステップと、前記読み取ったデータを解析するステップと、較正動作フェーズの間、並びに複数の使用動作フェーズの所定部分の間で欠陥ピクセル素子を指示するデータに対応したピクセル素子を特定するステップと、最新の較正動作フェーズの間で欠陥ピクセル素子を指示するデータに対応したピクセル素子を特定している第１のマップを保存するステップと、現在の使用動作フェーズの間で欠陥ピクセル素子を指示するデータに対応したピクセル素子を特定している第２のマップを保存するステップと、現在の使用動作フェーズの前に生じた複数の使用動作フェーズの所定部分の間で欠陥ピクセル素子を指示するデータに対応したピクセル素子を特定している第３のマップを保存するステップとを含む方法。